(57)【要約】      （修正有）【課題】これまでのＥＩ型打抜き電磁鋼板を用いた空隙付鉄心型非飽和リアクトルに代わり小型化が図られインダクタンス値が高く且つ製造コストの低い高性能の非飽和リアクトルを提供する。【解決手段】鉄心部に高透磁率で磁気抵抗が低くなる構造の巻鉄心を用いこれを巻線型枠に巻き付け取付けた後に絶縁ワニスで硬化処理して乾燥後に薄刃円盤状回転砥石によって巻鉄心に空隙を切削する新しい工作手段を適用してインダクタンスの変化が少ない小型化が可能な空隙付鉄心型非飽和リアクトルを開発製造し課題解決した。【選択図】図２
0003161494.tif 000002
【実用新案登録請求の範囲】
【請求項１】
中心部に空間を持たせてベルト状に巻いた電磁鋼板製巻鉄心の磁路断面に空隙を与えた巻鉄心を１個または２個以上複数を用いて「ロ」の字形状の巻線済み巻線型枠に巻き付けて構成することを特徴とする空隙付巻鉄心型非飽和リアクトル。
【請求項２】
該巻線型枠に該巻鉄心を組み込む工程後に電気絶縁ワニスを含浸させて硬化させた後に切削機械加工を容易にすることを特徴とする請求項１に記載される空隙付巻鉄心型非飽和リアクトル。
【請求項３】
請求項２に示す硬化後の該巻鉄心のみに薄刃円盤状回転砥石または金鋸による切削加工で該巻鉄心磁路長断面部に空隙を与えることを特徴とする請求項１に記載される空隙付巻鉄心型非飽和リアクトル。
【請求項４】
請求項３に示す該空隙付巻鉄心の空隙に指定幅を維持するために電気的絶縁性のある非磁性体を挟み込み必要に応じ該空隙付巻鉄心の巻戻りを防ぐために非磁性体で該空隙付巻鉄心の円筒部を結束させることを特徴とする請求項１に記載される空隙付巻鉄心型非飽和リアクトル。
【請求項５】
該空隙付巻鉄心を２個以上複数個使う場合に該巻鉄心の空隙を相互に他の巻鉄心の空隙との向き合わせ角度を変化させてインダクタンスの値を調整可能とすることを特徴とする請求項１に記載される空隙付巻鉄心型非飽和リアクトル。
【考案の詳細な説明】
【技術分野】
【０００１】  本考案は直流および交流回路で使われる電磁機器に属する非飽和リアクトルの性能向上と製造コスト低減に関する技術分野。
【背景技術】
【０００２】
【非特許文献１】「電気工学ハンドブック」、１６編、１４章リアクトル、８３８〜８３９頁、昭和５３年。
【非特許文献２】尾本  義一、宮入  庄太共著、「現代電気工学講座  電気機器ＩＩＩ」、第４章リアクトル、４３頁〜５８頁、株式会社オ−ム社発行、昭和３７年２月。
【特許文献】特許公開２００３−２５７７４５、巻鉄心型リアクトル、巻鉄心型変成器、及びそれらの製造方法。
【０００３】  リアクトルは変圧器と同様に電力送電系統用のものから電気通信機器用に至るまでその特性、用途そして形態は様々である。
特性上から通流電流の大きさに拘わらずそのインダクタンスが一定の線形リアクトル（または非飽和リアクトルと呼称）と通流電流の大きさによってそのインダクタンスが変化する非線形リアクトル（または飽和リアクトルと呼称）がある。
リアクトルを装置の回路素子として用いる場合に通流電流の変化でインダクタンスの大きさが変化すると回路の動作条件が変化し、これによって装置の動作に支障が出現する場合には非飽和リアクトルが採用される。【０００４】  非飽和リアクトルには構造上から空心リアクトルと鉄心型リアクトルに区分される。空心型は磁路の飽和がないためインダクタンスはほぼ一定である。しかし透磁率が低いために構造上大型となり極めて広い設置場所が求められる。鉄心型では閉路鉄心型非飽和リアクトルと空隙付鉄心型非飽和リアクトルがある。非特許文献１および２に示されるように、鉄心形では透磁率が高いので巻線コイルと鎖交する磁束が非常に大きくなり小型でも大きなインダクタンス値が得られるが、鉄磁路の磁気飽和が生じ易い欠点があるため多用されない。【０００５】  閉路鉄心型では巻き付けた巻線コイルに電流を通じた時に起磁力による磁束が生じて鉄磁路固有の磁気飽和値に到達し易く、通流電流の増大と共にインダクタンスが減少する欠点がある。空隙付鉄心型は空心型と閉路鉄心型の中間の性能を有し、空隙ができたことによって磁路の磁気抵抗が大きくなり巻線コイルに大きな電流を流通させても発生磁束が低めで、磁気飽和値に達せず通流電流の大きさに関わりなくほほ同一のインダクタンス値を有する。これより非飽和リアクトルには空隙付鉄心型リアクトルが選択される。
本考案は電力用および電子通信の方面で多用されている空隙付鉄心型非飽和リアクトルの特性改善と製造コスト低減を図る技術に関するものである。
【考案の開示】
【考案が解決しようとする課題】
【０００６】  これまで空隙付鉄心型非飽和リアクトルは鉄磁路をＥＩ型打抜き電磁鋼板を用い積層して磁路を構成し、該鉄磁路の磁路断面に一定間隔の空隙を与えて磁気飽和を生じさせない構造となっている。積層する際は１枚１枚打抜き電磁鋼板を突合わせ接合するため、鉄磁路の磁気抵抗が大きくなり磁束を大きな値にすることができず、その結果として大きな値のインダクタンスが得ることが困難であった。
大きなインダクタンス値の非飽和リアクタンスを製造するには磁束を増大し鉄磁路断面を増大させる必要があるために、空隙付鉄心型非飽和リアクトルは体格容積が大きくなり製造単価が高くなるという解決すべき課題がある。【０００７】  同時にＥＩ型打抜き電磁鋼板を予め作成しておいた巻線コイルに一枚一枚挟み込んで積層する作業が必須で製造コストを引き上げてしまう課題が存在する。【０００８】  ＥＩ型打抜き電磁鋼板に代わって長尺の電磁鋼板をベルト状に巻き付けた構造の巻鉄心が変圧器などに使用され始められてきた。巻鉄心は磁路中の突合わせ接合がないため磁気抵抗が小さく磁束を大きくすることが可能で同じインダクタンス値を得る場合にはＥＩ電磁鋼板鉄心に比べ体格容量が小型化できる。しかし巻鉄心に空隙を作るために薄刃円盤状回転砥石や金鋸によって巻鉄心磁路を切削することは素材の堅さから困難であるという機械工作上克服すべき課題がある。【０００９】  巻鉄心磁路断面に空隙を作る方法が特許文献に示されるているが、巻鉄心を一枚毎に裁断して再び重ねて組み合わせる作業が必要となり、ＥＩ型打抜き電磁鋼板使用の場合と同様製造コストを押し上げ、巻鉄心の有する特長が失われてしまう製造上の解決すべき課題がある。
【課題を解決するための手段】
【００１０】  従来の空隙付鉄心型非飽和リアクトルの鉄心部をＥＩ型打抜き電磁鋼板で構成するよりも巻鉄心を用いる方が小型軽量化と製造コストの低減のために有効である。
本考案では空隙付鉄心型非飽和リアクトルの鉄心部を巻鉄心で構成する空隙付巻鉄心型非飽和リアクトルを提案し、製造する際の上記解決すべき課題に対して以下の如くその手段を示す。【００１１】  最初に中央部分に円筒状の空間を持たせてベルト状の電磁鋼板を「ロ」の字形状の巻線型枠のサイズに合わせて該巻線型枠の各辺に予め巻き戻しておいた１個または２個以上の複数個の該巻鉄心を巻き付け巻鉄心部を完成させる。図１に巻鉄心と巻線型枠を示す。
次に巻線済み該巻線型枠と巻鉄心から成る構成物全部を電気絶縁ワニス液に含浸させた後取り出しこれを乾燥させる。乾燥完了後に全ての巻鉄心に対して薄刃円盤状回転砥石を用いて磁路断面を切削して空隙をつくり、空隙付鉄心型非飽和リアクトルを完成する。図２にその構成図を示す。【００１２】  空隙長を巻鉄心に精度良く維持する場合には薄刃状回転砥石で切削した後に電気的に絶縁性のある磁路断面に空隙長と一致した厚さの平板材を挟み込こむ。また必要に応じ非磁性の硬帯で巻鉄心の巻戻りを防止するために結束する。【００１３】  空隙付鉄心型非飽和リアクトルのインダクタンス値を調整する場合には該巻線型枠の巻線コイルに巻線中間端子を設け回路定数に沿った端子を選定することで可能となる。【００１４】  またそれぞれ巻鉄心の空隙配置位置を互いに回転させてインダクタンスの値を微調節することが可能である。これは空隙部における磁束フリンジングによる磁力線の通り方が変化する理由による。
【考案を実施するための形態】
【００１５】  本考案を実現するための実施の形態は図２の完成後の図面である。
【考案の効果】
【００１６】  本考案で提案された空隙付巻鉄心型リアクトルの非飽和の程度を表１に示す。試作した空隙付巻鉄心型非飽和リアクトルの仕様は、巻鉄心が２個で空隙間隔は２ｍｍで巻線直径１．０ｍｍで巻回数１８５回（実線）と１．２ｍｍで１２０回（破線）である。このリアクトルに電流を増加させた場合のインダクタンスの値を計測した結果である。これによれば両者とも電流値の広い変化幅でほぼ一定の値を示している。これより非飽和特性が十分得られている効果を有していることが分かる。
【００１７】  本考案で提案された空隙付巻鉄心型リアクトルで２個の巻鉄心を有する場合で空隙位置を互いに変化させて調整した場合の計測結果を表２に示す。計測条件は、（１）空隙部を両方とも内側に向けた場合、（２）互いに背を向けるように配置させた場合、（３）互いに並行の位置になるように配置させた場合、（４）９０度片方を回転させた場合の配置条件についてインダクタンス値を計測した結果を示す。これより（１）の場合を１に選び、他の場合と比較した。（２）の場合では１．２３倍、（３）では１．１６倍、（４）では１．１９倍であることが示された。このように空隙付巻鉄心型非飽和リアクトルのインダクタンス値を空隙部の相対位置の違いによって微調整可能である効果を有する。
【表１】
0003161494.tif 000003
【表２】
0003161494.tif 000004
【考案の実施するための最良の形態】
【００１８】  図２は本考案実施に最良の形態である。
【実施例】
【００１９】  表１及び表２で示すように非飽和領域の程度やインダクタンスの微調整機能がそれぞれ確認され実施例が示された。
【産業上の利用可能性】
【００２０】  本考案になる空隙付巻鉄心型非飽和リアクトルは、小型軽量化と製作が簡易であることで製造原価が低減され、飽和のない優れた特性を有することに加え空隙位置の変化でインダクタンスが微調整可能という特長を有するもので、今後非飽和リアクトルを必要とされる電子通信並びに電力用の産業分野で多くの利用と導入が期待される。
【図面の簡単な説明】
【００２１】  図１は本考案になる空隙付巻鉄心型非飽和リアクトルの構成部品を示す。符号▲１▼は巻鉄心で、▲２▼は巻線コイルの巻始めと巻き終りを示す。▲３▼は巻線を巻付け済みの「ロ」の字形状の巻線型枠である。
図２は取付け乾燥後に巻鉄心部に空隙を切削した空隙付巻鉄心型非飽和リアクトルの完成図である。符号▲４▼は巻鉄心部の空隙を表す。
【図１】
0003161494.tif 000005
【図２】
0003161494.tif 000006
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
中空円筒状且つ帯状に巻付けた電磁鋼板性巻鉄心の磁路長断面に空隙を与えた巻鉄心を１個または複数個を用いてリアクトルの磁路とする空隙付巻鉄心と「ロ」の字形状の巻線型枠に巻線を巻き付けた巻線コイルで構成することを特徴とする空隙付巻鉄心型非飽和リアクトル。
【請求項２】
巻線コイルを巻付けた「ロ」の字形状の巻線型枠に中空円筒状の巻鉄心を取付けその全てを電気絶縁ワニスに含浸させ硬化固着処理した巻鉄心を用いたことを特徴とする請求項１に記載される空隙付巻鉄心型非飽和リアクトル。
【請求項３】
請求項２に示す硬化固着後の中空円筒状巻鉄心のみに薄刃円盤状回転砥石または金鋸による切削機械加工で該中空円筒状巻鉄心の磁路長断面部に空隙を与えた空隙付巻鉄心をリアクトル磁路として使用することを特徴とする請求項１並びに請求項２に記載される空隙付巻鉄心型非飽和リアクトル。
【請求項４】
請求項３に記載される空隙を与えた空隙付巻鉄心の空隙長と同一の厚みで空隙断面と等しい寸法を有する非磁性体且つ電気的絶縁性の物性から成る楔を空隙に挟み込んだ並びに該空隙付巻鉄心の円筒外周部を非磁性体物質で帯状に巻付けて結束処理した或いは巻鉄心の巻き付け終了後に巻き付け終端部で電磁鋼板性巻鉄心に電気放電にて溶接止めした空隙付巻鉄心を用いることを特徴とする請求項１、請求項２並びに請求項３に記載される空隙付巻鉄心型非飽和リアクトル。
【請求項５】
請求項１に記載される空隙付巻鉄心型非飽和リアクトルを構成する空隙付巻鉄心の空隙位置と巻線を施した同一巻線型枠に配置されている他の空隙付巻鉄心の空隙位置との向き合わせ角度との調節によってインダクタンスの値を変化させることを特徴とする請求項１、請求項２、請求項３並びに請求項４に記載される空隙付巻鉄心型非飽和リアクトル。
【手続補正２】
【補正対象書類名】明細書
【補正対象項目名】００２１
【補正方法】変更
【補正の内容】
【００２１】
【図１】は本考案になる空隙付巻鉄心型非飽和リアクトルの構成部品を示す。符号▲１▼は巻鉄心で、▲２▼は巻線コイルの巻始めと巻き終りを示す。▲３▼は巻線を巻付け済みの「ロ」の字形状の巻線型枠である。
【図２】は取付け電気絶縁ワニス含浸乾燥後に巻鉄心部に空隙を切削した空隙付巻鉄心型非飽和リアクトルの完成図である。符号▲４▼は巻鉄心の空隙を表す。
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
電磁鋼板を帯状に巻付けた中空円筒状巻鉄心の磁路長断面に空隙を与えた巻鉄心を１個または複数個を用いてリアクトルの磁路とする空隙付巻鉄心と巻線コイルを巻付けた「ロ」の字形状の巻線型枠とで構成することを特徴とする空隙付巻鉄心型非飽和リアクトル。
【請求項２】
巻線コイルを巻付けた「ロ」の字形状の巻線型枠に中空円筒状巻鉄心を組み付け構成後にその全てを電気絶縁ワニスに含浸させて硬化固着処理して使用することを特徴とする空隙付巻鉄心型非飽和リアクトル。
【請求項３】
請求項２に記載される硬化固着処理後の中空円筒状巻鉄心のみに対して薄刃円盤状回転砥石または金鋸による切削機械加工を行なって磁路長断面部に空隙を与えた空隙付巻鉄心をリアクトル磁路として使用することを特徴とする空隙付巻鉄心型非飽和リアクトル。
【請求項４】
請求項３に示される空隙付巻鉄心の磁路長断面部に与えた空隙について、その空隙磁路断面に等しい縦横寸法と空隙長に等しい厚みを有する非磁性体且つ電気的絶縁性の物性から成る楔を空隙付巻鉄心の空隙に挟み込み並びに該空隙付巻鉄心の円筒外周部に非磁性体物質で帯状に巻付けて結束処理或いは空隙付巻鉄心の巻き終り終端部を電気スポット溶接で固着した空隙付巻鉄心を用いたことを特徴とする空隙付巻鉄心型非飽和リアクトル。
【請求項５】
巻線コイルを巻付けた巻線型枠に巻付け取り付けた空隙付巻鉄心の空隙位置に対して同一の巻線型枠に巻付け取り付けた別の空隙付巻鉄心の空隙位置との向き合わせ角度を調節してインダクタンス値を変化させることを特徴とする空隙付巻鉄心型非飽和リアクトル。
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
電磁鋼板を帯状に巻付けた中空円筒状巻鉄心の磁路長断面に空隙を与えた巻鉄心を１個または複数個を用いてリアクトルの磁路とする空隙付巻鉄心と巻線コイルを巻付けた「ロ」の字形状の巻線型枠とで構成することを特徴とする空隙付巻鉄心型非飽和リアクトル。
【請求項２】
巻線コイルを巻付けた「ロ」の宇形状の巻線型枠に中空円筒状巻鉄心を組み付け構成後にその全てを電気絶縁ワニスに含浸させて硬化固着処理して使用することを特徴とする請求項１記載の空隙付巻鉄心型非飽和リアクトル。
【請求項３】
請求項２に記載される硬化固着処理後の中空円筒状巻鉄心のみに対して薄刃円盤状回転砥石または金鋸による切削機械加工を行なって磁路長断面部に空隙を与えた空隙付巻鉄心をリアクトル磁路として使用することを特徴とする請求項２記載の空隙付巻鉄心型非飽和リアクトル。
【請求項４】
請求項３に示される空隙付巻鉄心の磁路長断面部に与えた空隙について、その空隙磁路断面に等しい縦横寸法と空隙長に等しい厚みを有する非磁性体且つ電気的絶縁性の物性から成る楔を空隙付巻鉄心の空隙に挾み込み並びに該空隙付巻鉄心の円筒外周部に非磁性体物質で帯状に巻付けて結束処理或いは空隙付巻鉄心の巻き終り終端部を電気スポット溶接で固着した空隙付巻鉄心を用いたことを特徴とする請求項３記載の空隙付巻鉄心型非飽和リアクトル。
【請求項５】
巻線コイルを巻付けた巻線型伜に巻付け取り付けた空隙付巻鉄心の空隙位置に対して同一の巻線型枠に巻付け取り付けた別の空隙付巻鉄心の空隙位置との向き合わせ角度を調節してインダクタンス値を変化させることを特徴とする請求項１、請求項２、請求項３又は請求項４記載の空隙付巻鉄心型非飽和リアクトル。
【手続補正２】
【補正対象書類名】明細書
【補正対象項目名】全文
【補正方法】変更
【補正の内容】
【考案の詳細な説明】
【技術分野】
【０００１】
本考案は直流および交流回路で使われる電磁機器に属する非飽和リアクトルの性能向上と製造コスト低減に関する技術分野に関するものである。
【背景技術】
【０００２】
【非特許文献１】「電気工学ハンドブック」、１６編、１４章リアクトル、８３８〜８３９頁、昭和５３年。
【非特許文献２】尾本  義一、宮入  庄太共著、「現代電気工学講座  電気機器ＩＩＩ」、第４章リアクトル、４３頁〜５８頁、株式会社オーム社発行、昭和３７年２月。
【先行技術文献】
【特許文献】
【０００３】
【特許文献１】特許公開２００３−２５７７４５、巻鉄心型リアクトル、巻鉄心型変成器、及びそれらの製造方法。
【０００４】
リアクトルは変圧器と同様に電力送電系統用のものから電気通信機器用に至るまでその特性、用途そして形態は様々である。
特性上から通流電流の大きさに拘わらずそのインダクタンスが一定の線形リアクトル（または非飽和リアクトルと呼称）と通流電流の大きさによってそのインダクタンスが変化する非線形リアクトル（または飽和リアクトルと呼称）がある。
リアクトルを装置の回路素子として用いる場合に通読電流の変化でインダククンスの大きさが変化すると回路の動作条件が変化し、これによって装置の動作に支障が出現する場合には非飽和リアクトルが採用される。
【０００５】
非飽和リアクトルには構造上から空心リアクトルと鉄心型リアクトルに区分される。空心型は磁路の飽和がないためインダクタンスはほぼ一定である。しかし透磁率が低いために構造上大型となり極めて広い設置場所が求められる。鉄心型では閉路鉄心型非飽和リアクトルと空隙付鉄心型非飽和リアクトルがある。非特許文献１および２に示されるように、鉄心形では透磁率が高いので巻線コイルと鎖交する磁束が非常に大きくなり小型でも大きなインダクタンス値が得られるが、鉄磁路の磁気飽和が生じ易い欠点があるため多用されない。
【０００６】
閉路鉄心型では巻き付けた巻線コイルに電流を通じた時に起磁力による磁束が生じて鉄磁路固有の磁気飽和値に到達し易く、通流電流の増大と共にインダクタンスが減少する欠点がある。空隙付鉄心型は空心型と閉路鉄心型の中間の性能を有し、空隙ができたことによって磁路の磁気抵抗が大きくなり巻線コイルに大きな電流を流通させても発生磁束が低めで、磁気飽和値に達せず通流電流の大きさに関わりなくほほ同一のインダクタンス値を有する。これより非飽和リアクトルには空隙付鉄心型リアクトルが選択される。
本考案は電力用および電子通信の方面で多用されている空隙付鉄心型非飽和リアクトルの特性改善と製造コスト低減を図る技術に関するものである。
【考案の開示】
【考案が解決しようとする課題】
【０００７】
これまで空隙付鉄心型非飽和リアクトルは鉄磁路をＥＩ型打抜き電磁鋼板を用い積層して磁路を構成し、該鉄磁路の磁路断面に一定間隔の空隙を与えて磁気飽和を生じさせない構造となっている。積層する際は１枚１枚打抜き電磁鋼板を突合わせ接合するため、鉄磁路の磁気抵抗が大きくなり磁束を大きな値にすることができず、その結果として大きな値のインダクタンスが得ることが困難であった。
大きなインダクタンス値の非飽和リアクタンスを製造するには磁束を増大し鉄磁路断面を増大させる必要があるために、空隙付鉄心型非飽和リアクトルは体格容積が大きくなり製造単価が高くなるという解決すべき課題がある。
【０００８】
同時にＥＩ型打抜き電磁鋼板を予め作成しておいた巻線コイルに一枚一板挟み込んで積層する作業が必須で製造コストを引き上げてしまう課題が存在する。
【０００９】
ＥＩ型打抜き電磁鋼板に代わって長尺の電磁鋼板をベルト状に巻き付けた構造の巻鉄心が変圧器などに使用され始められてきた。巻鉄心は磁路中の突合わせ接合がないため磁気抵抗が小さく磁束を大きくすることが可能で同じインダクタンス値を得る場合にはＥＩ電磁鋼板鉄心に比べ体格容量が小型化できる。しかし巻鉄心に空隙を作るために薄刃円盤状
回転砥石や金鋸によって巻鉄心磁路を切削することは素材の堅さから困難であるという機械工作上克服すべき課題がある。
【００１０】
巻鉄心磁路断面に空隙を作る方法が特許文献に示されているが、巻鉄心を一枚毎に裁断して再び重ねて組み合わせる作業が必要となり、ＥＩ型打抜き電磁鋼板使用の場合と同様製造コストを押し上げ、巻鉄心の有する特長が失われてしまう製造上の解決すべき課題がある。
【課題を解決するための手段】
【００１１】
従来の空隙付鉄心型非飽和リアクトルの鉄心部をＥＩ型打抜き電磁鋼板で構成するよりも巻鉄心を用いる方が小型軽量化と製造コストの低減のために有効である。
本考案では空隙付鉄心型非飽和リアクトルの鉄心部を巻鉄心で構成する空隙付巻鉄心型非飽和リアクトルを提案し、製造する際の上記解決すべき課題に対して以下の如くその手段を示す。
【００１２】
最初に中央部分に円筒状の空間を持たせてベルト状の電磁鋼板を「ロ」の字形状の巻線型枠のサイズに合わせて該巻線型枠の各辺に予め巻き戻しておいた１個または２個以上の複数個の該巻鉄心を巻き付け巻鉄心部を完成させる。図１に巻鉄心と巻線型枠を示す。
次に巻線済み該券線型枠と巻鉄心から成る構成物全部を電気絶縁ワニス液に含浸させた後取り出しこれを乾燥させる。乾燥完了後に全ての巻鉄心に対して薄刃円盤状回転砥石を用いて磁路断面を切削して空隙をつくり、空隙付鉄心型非飽和リアクトルを完成する。図２にその構成図を示す。
【００１３】
空隙長を巻鉄心に精度良く維持する場合には薄刃状回転砥石で切削した後に電気的に絶縁性のある磁路断面に空隙長と一致した厚さの平板材を挟み込む。また必要に応じ非磁性の硬帯で巻鉄心の巻戻りを防止するために結束する。
【００１４】
空隙付鉄心型非飽和リアクトルのインダクタンス値を調整する場合には該券線型枠の巻線コイルに巻線中間端子を設け回路定数に沿った端子を選定することで可能となる。
【００１５】
またそれぞれ巻鉄心の空隙配置位置を互いに回転させてインダクタンスの値を微調節することが可能である。これは空隙部における磁束フリンジングによる磁力線の通り方が変化する理由による。
【考案の効果】
【００１６】
本考案で提案された空隙付巻鉄心型リアクトルの非飽和の程度を表１に示す。試作した空隙付巻鉄心型非飽和リアクトルの仕様は、巻鉄心が２個で空隙間隔は２ｍｍで巻線直径１．０ｍｍで巻回数１８５回（実線）と１．２ｍｍで１２０回（破線）である。このリアクトルに電流を増加させた場合のインダクタンスの値を計測した結果である。これによれば両者とも電流値の広い変化幅でほぼ一定の値を示している。これより非飽和特性が十分得られている効果を有していることが分かる。
【考案を実施するための形態】
【００１７】
図２は本考案実施に最良の形態である。
【実施例】
【００１８】
表１及び表２で示すように非飽和領域の程度やインダクタンスの微調整機能がそれぞれ確認され実施例が示された。
【００１９】
本考案を実現するための実施の形態は図２の完成後の図面である。
本考案で提案された空隙付巻鉄心型リアクトルで２個の巻鉄心を有する場合で空隙位置を互いに変化させて調整した場合の計測結果を表２に示す。計測条件は、（１）空隙部を両方とも内側に向けた場合、（２）互いに背を向けるように配置させた場合、（３）互いに並行の位置になるように配置させた場合、（４）９０度片方を回転させた場合の配置条件についてインダクタンス値を計測した結果を示す。これより（１）の場合を１に選び、他の場合と比較した。（２）の場合では１．２３倍、（３）では１．１６倍、（４）では１．１９倍であることが示された。このように空隙付巻鉄心型非飽和リアクトルのインダクタンス値を空隙部の相対位置の違いによって微調整可能である効果を有する。
【表１】
0003161494.tif 000007
【表２】
0003161494.tif 000008
【図面の簡単な説明】
【００２０】
図１は本考案になる空隙付巻鉄心型非飽和リアクトルの構成部品を示す。
図２は取付け電気絶縁ワニス含浸乾燥後に巻鉄心部に空隙を切削した空隙付巻鉄心型非飽和リアクトルの完成図である。
【産業上の利用可能性】
【００２１】
本考案になる空隙付巻鉄心型非飽和リアクトルは、小型軽量化と製作が簡易であることで製造原価が低減され、飽和のない優れた特性を有することに加え空隙位置の変化でインダクタンスが微調整可能という特長を有するもので、今後非飽和リアクトルを必要とされる電子通信並びに電力用の産業分野で多くの利用と導入が期待される。
【符号の説明】
【００２２】
符号１は巻鉄心である。
符号２は巻線コイルの巻初めと巻き終わりを示す。
符号３は巻線を巻付け済みの「ロ」の字形状の巻線型枠である。
符号４は巻鉄心の空隙を表す。